(57)【要約】  Ｈ形のハウジングを有するＬＥＤ照明素子。押し出しハウジングであってもよいハウジングは、第１の部分と、クロスバーによって第１の部分から分離された第２の部分とを有する。バックプレートがクロスバーの反対側に配置され、かつ第１の部分に脱着可能に固定されている。ヒートシンクがハウジング内に配置される一方、マイクロコントローラおよびＬＥＤ駆動／制御技術および一体型電源がヒートシンクに接しており、かつバックプレートに取り付けられている。マイクロコントローラおよびＬＥＤ駆動／制御技術および一体型電源に電気的に接続されたＬＥＤ  ＰＣボードが第２の部分に配置され、かつハウジングに取り付けられている。また、照明素子を組み立てるための方法とともにハウジングのためのエンドキャップが開示される。
2013521594.tif 000002
【特許請求の範囲】
【請求項１】
Ｈ形のハウジングであって、第１の部分と、クロスバーによって前記第１の部分から分離された第２の部分とを有する、Ｈ形のハウジングと、
前記クロスバーに対向するバックプレートであって、前記第１の部分に脱着可能に固定されている、バックプレートと、
前記ハウジング内に配置されたヒートシンクと、
前記ヒートシンクに接しているマイクロコントローラおよびＬＥＤ駆動／制御技術および一体型電源と、
前記第２の部分に配置され、かつ前記ハウジングに取り付けられたＬＥＤ  ＰＣボードであって、前記マイクロコントローラおよびＬＥＤ駆動／制御技術および一体型電源に電気的に接続されている、ＬＥＤ  ＰＣボードと、
を含む、ＬＥＤ照明素子。
【請求項２】
前記ヒートシンクが第１のサーマルパッドである、請求項１に記載のＬＥＤ照明素子。
【請求項３】
前記第１のサーマルパッドが前記バックプレートに隣接する、請求項２に記載のＬＥＤ照明素子。
【請求項４】
前記第２の部分に配置された第２のヒートシンクをさらに含む、請求項１に記載のＬＥＤ照明素子。
【請求項５】
前記第２のヒートシンクが前記クロスバーと前記ＬＥＤ  ＰＣボードとの間に配置された第２のサーマルパッドである、請求項４に記載のＬＥＤ照明素子。
【請求項６】
突出部が前記第１の部分の第１の面の第１の端部の近傍において前記ハウジングから内側に延び、
前記バックプレートが脚部を含み、前記脚部が前記第１の部分に延び、かつ突出部受容部分を画定し、
前記突出部が前記突出部受容部分に嵌まり、それによって前記バックプレートを前記ハウジングに係合する、
請求項１に記載のＬＥＤ照明素子。
【請求項７】
第２の突出部が前記ハウジングから前記第１の部分に内側に延び、前記第２の突出部が前記バックプレートの前記脚部の第１の端部が前記第１の部分に進むことができる距離を制限する、
請求項６に記載のＬＥＤ照明素子。
【請求項８】
前記ハウジングの前記第１の部分が第１の幅を有し、
前記ハウジングの前記第２の部分が第２の幅を有し、
前記第１の幅が前記第２の幅よりも大きい、
請求項１に記載のＬＥＤ照明素子。
【請求項９】
前記ハウジングが第１の長さを有し、
前記ハウジングが前記ハウジングの前記長さに沿って延びる第１の溝を画定する外部表面を有する、
請求項１に記載のＬＥＤ照明素子。
【請求項１０】
前記第１の溝が前記クロスバーと前記バックプレートとの間に配置されている、請求項１に記載のＬＥＤ照明素子。
【請求項１１】
前記ヒートシンクと前記バックプレートとの間に配置されたワッシャをさらに含む、請求項１に記載のＬＥＤ照明素子。
【請求項１２】
前記ハウジングが少なくとも１つの端部を有し、
エンドキャップが前記ハウジングの前記少なくとも１つの端部に取り付けられており、
前記エンドキャップが、
第１の端部の近傍にある第１の取り付け脚の対と、
前記第２の端部の近傍にある第２の取り付け脚の対と、
前記第２の端部の近傍にあるケーブルアクセス部と、
を有する、第１の要素と、
第１の端部の近傍にあるケーブルアクセス部と、
前記第１の端部に垂直であり、かつ前記第１の端部の近傍にある一対の取り付け脚と、
を有する、第２の要素と、を含み、
前記第１の要素および前記第２の要素が第１の材料で作成され、各要素の前記ケーブルアクセス部が前記第１の材料よりも可撓性のある第２の材料で作成される、
請求項１に記載のＬＥＤ照明素子。
【請求項１３】
前記第１の要素の前記ケーブルアクセス部を前記第２の要素の前記ケーブルアクセス部から分離することが可能である、請求項１２に記載のＬＥＤ照明素子。
【請求項１４】
連結ピンが前記取り付け脚のそれぞれの前記端部から延び、
前記連結ピンが前記ハウジングの前記側部にある各々の穴に嵌合し、それによって前記エンドキャップの前記第１の要素および前記第２の要素を前記ハウジングに連結する、
請求項１２に記載のＬＥＤ照明素子。
【請求項１５】
前記照明素子がハウジング内に収容され、前記ハウジングが、
前記ＬＥＤ照明素子を受容するのに適した空洞を画定する複数の面を有する第１の構成要素と、
前記第１の構成要素に脱着可能に取り付けられ、それによって前記空洞を密閉するレンズと、
を含む、請求項１に記載のＬＥＤ照明素子。
【請求項１６】
前記レンズが前記第１の構成要素に嵌まる、請求項１５に記載のＬＥＤ照明素子。
【請求項１７】
前記空洞が溝である、請求項１５に記載のＬＥＤ照明素子。
【請求項１８】
ランヤードが前記第１の構成要素に取り付けられた第１の端部を有し、
前記ランヤードの第２の端部が前記レンズを前記第１の構成要素に固定するために前記レンズに取り付けられる、
請求項１５に記載のＬＥＤ照明素子。
【請求項１９】
前記ランヤードの前記第１の端部が前記第１の構成要素の前記複数の面の１つの内部表面に取り付けられる、請求項１７に記載のＬＥＤ照明素子。
【請求項２０】
前記複数の面の１つが穴を画定する、請求項１５に記載のＬＥＤ照明素子。
【請求項２１】
前記複数の面の１つが矩形であり、
前記複数の面の少なくとも２つが台形であり、前記２つの台形の面のそれぞれが互いに対向している、
請求項１５に記載のＬＥＤ照明素子。
【請求項２２】
前記２つの台形の面の少なくとも１つが穴を画定する、請求項２１に記載のＬＥＤ照明素子。
【請求項２３】
前記レンズが楕円の形状である、請求項１５に記載のＬＥＤ照明素子。
【請求項２４】
前記レンズが滑らかな外部表面を有する、請求項１５に記載のＬＥＤ照明素子。
【請求項２５】
前記配線束が前記空洞中に延びる、請求項２１に記載のＬＥＤ照明素子。
【請求項２６】
前記複数の面が５つに等しい、請求項１５に記載のＬＥＤ照明素子。
【請求項２７】
前記照明素子がハウジングに取り付けられ、前記ハウジングが、
照明素子取り付け部であって、前記照明素子取り付け部から約９０°延びる第１の表面と、前記照明素子取り付け部から前記第１の端部の逆側に約９０°延びる第２の表面と、を有する、照明素子取り付け部と、
前記照明素子取り付け部を囲む客室用取り付けブラケットであって、前記照明素子取り付け部に対して約４５°の角度をなす、客室用取り付けブラケットと、
を含む、請求項１に記載のＬＥＤ照明素子。
【請求項２８】
前記照明素子取り付けブラケットの第１の表面と同一平面に取り付けられる、請求項２７に記載のＬＥＤ照明素子。
【請求項２９】
第１の取り付けクランプおよび第２の取り付けクランプが前記照明素子取り付けブラケットの前記第１の表面に取り付けられ、
前記ＬＥＤ照明素子が前記取り付けクランプに取り付けられた、
請求項２８に記載のＬＥＤ照明素子。
【請求項３０】
第１の配線束および第２の配線束が前記ハウジングから延びる、請求項２７に記載のＬＥＤ照明素子。
【請求項３１】
前記第１の配線束が主電源に連結され、
前記第２の配線束が非常電源に連結される、
請求項３０に記載のＬＥＤ照明素子。
【請求項３２】
Ｈ形のハウジングを設けるステップであって、前記ハウジングがクロスバーによって分離される第１の部分と第２の部分とを有する、ステップと、
ヒートシンクをバックプレートの第１の面に取り付けるステップと、
マイクロコントローラおよびＬＥＤ駆動／制御技術および一体型電源を前記ヒートシンク上に配置するステップと、
前記バックプレートを前記ハウジングに固定するステップと、
ＬＥＤ  ＰＣボードを前記第２の部分に配置するステップと、
前記ＬＥＤ  ＰＣボードを前記マイクロコントローラおよびＬＥＤ駆動／制御技術および一体型電源に電気的に接続するステップと、
を含む、
ＬＥＤ照明素子を組み立てるための方法。
【請求項３３】
エンドキャップを前記ハウジングの第１の端部と第２の端部とのそれぞれに取り付けるステップをさらに含む、請求項３２に記載の方法。
【請求項３４】
前記マイクロコントローラおよびＬＥＤ駆動／制御技術および一体型電源が第１の端部と第２の端部とを有し、
電気コネクタが、前記第１の端部および前記第２の端部の少なくとも１つの近傍において前記マイクロコントローラおよびＬＥＤ駆動／制御技術および一体型電源に取り付けられる、
請求項３２に記載の方法。
【請求項３５】
配線束が前記電気コネクタに電気的に接続され、
前記配線束が前記ハウジングから外側に延びる、
請求項３４に記載の方法。
【請求項３６】
接地線が前記配線束に連結した第１の端部と、前記ハウジングに連結した第２の端部とを有する、請求項３５に記載の方法。
【請求項３７】
ワイヤハーネスの第１の端部が前記電気コネクタに連結され、
前記ワイヤハーネスの第２の端部が第２のＬＥＤ照明素子の第２の電気コネクタに連結される、
請求項３４に記載の方法。
【請求項３８】
前記Ｈ形のハウジングが第１の面と第２の面とを有し、
溝が前記第１の面および前記第２の面のそれぞれに沿って刻まれている、
請求項３２に記載の方法。
【請求項３９】
取り付けクランプが前記第１の面および前記第２の面のそれぞれに沿う前記溝に取り付けられる、請求項３８に記載の方法。
【発明の詳細な説明】
【技術分野】
【０００１】
関連出願の相互参照
[0001]本特許出願は、２０１０年２月２５日出願の米国仮特許出願第６１／３０８，１７１号および２０１０年５月１７日出願の米国仮特許出願第６１／３４５，３７８号の便益を主張するものである。その両内容が参照によって本明細書に組み込まれる。
【０００２】
[0002]本発明は、概して、灯用ハウジングに関し、特に、車両または部屋などの空間内部を照光するために使用されるＬＥＤ照明素子のためのハウジングに関する。
【背景技術】
【０００３】
[0003]種々の光源のためのハウジングは当業界において公知である。公知のハウジングは、光源をカバーし、光を拡散する簡単なセードから、必要に応じて、光を保護し、分散する堅牢で丈夫なハウジングに及ぶ。従来より、白熱灯は、灯の明るさを拡散し、低減する半透明な皿またはレンズカバーなどの灯取付具に収容されている。また、蛍光灯は、灯を所望のソケットに挿入し、かつそこから取り外すことを可能にする半透明なハウジング内に収容されている。
【０００４】
[0004]白熱から蛍光、発光ダイオードへの照明の発展によって、光源を含む一方で、同時に、電源または電気コネクタのための筐体を提供するようにハウジングを改良する必要が生じている。ＬＥＤ照明素子は種々の角度で、しばしば半端な位置に取り付けることができる必要がある。特定のソケット内に取り付けられた従来の白熱電球とは異なり、ＬＥＤ照明素子は種々の面に沿ってまたはその背後に並べることができ、それらの照明出力は複数の方向に向く。したがって、複数のＬＥＤ照明素子とともに種々の角度で取り付けることができうるＬＥＤ照明素子は技術の重要な向上となろう。
【発明の概要】
【課題を解決するための手段】
【０００５】
[0005]Ｈ形のハウジングを有するＬＥＤ照明素子が開示される。押し出しハウジングであってもよいハウジングは、第１の部分と、クロスバーによって第１の部分から分離された第２の部分とを有する。バックプレートがクロスバーに対向して配置され、かつ第１の部分に脱着可能に固定されている。ヒートシンクがハウジング内に配置される一方、マイクロコントローラおよびＬＥＤ駆動／制御技術および一体型電源がヒートシンクに接しており、かつバックプレートに取り付けられている。マイクロコントローラおよびＬＥＤ駆動／制御技術および一体型電源に電気的に接続されたＬＥＤ  ＰＣボードが第２の部分に配置され、かつハウジングに取り付けられている。
【０００６】
[0006]ハウジングのためのエンドキャップも開示される。エンドキャップはハウジングの少なくとも１つの端部に取り付けられている。エンドキャップは、第１の端部の近傍に第１の取り付け脚の対を有する第１の要素を含む。第２の取り付け脚の対は、ケーブルアクセス部と同様、第２の端部の近傍にある。エンドキャップの第２の要素は、第１の端部の近傍にあるケーブルアクセス部と、第１の端部に垂直であり、かつその近傍にある一対の取り付け脚とを有する。第１の要素および第２の要素は第１の材料で作成され、各要素のケーブルアクセス部は第１の材料よりも可撓性のある第２の材料で作成される。
【０００７】
[0007]同様に、ＬＥＤ照明素子を組み立てるための方法が開示される。方法は、（ａ）Ｈ形のハウジングを設けるステップであって、前記ハウジングがクロスバーによって分離される第１の部分と第２の部分とを有するステップと、（ｂ）ヒートシンクをバックプレートの第１の面に取り付けるステップと、（ｃ）マイクロコントローラおよびＬＥＤ駆動／制御技術および一体型電源をヒートシンク上に配置するステップと、（ｄ）バックプレートをハウジングに固定するステップと、（ｅ）ＬＥＤ  ＰＣボードを第２の部分に配置するステップと、（ｆ）ＬＥＤ  ＰＣボードをマイクロコントローラおよびＬＥＤ駆動／制御技術および一体型電源に電気的に接続するステップと、を含む。別の実施形態において、ハウジングの第１の端部と第２の端部とのそれぞれにエンドキャップが取り付けられている
【図面の簡単な説明】
【０００８】
【図１】ＬＥＤ照明素子の斜視図である。
【図２】ＬＥＤ照明素子の分解図である。
【図２（ａ）】ＬＥＤ照明素子とともに使用される電気コネクタの斜視図および種々の他の図である。
【図３】ＬＥＤ照明素子に使用されるマイクロコントローラおよびＬＥＤ駆動／制御および一体型電源ＰＣボードを備えたバックプレートの斜視図である。
【図４】バックプレート上に取り付けられたＩＰＳ  ＰＣボードを示す断面図である。
【図４（ａ）】ＬＥＤ照明素子の端面図を示す切欠き図である。
【図４（ｂ）】ＬＥＤ照明素子のハウジングの端部の斜視図である。
【図５】エンドキャップを取り外したＬＥＤ照明素子の端面図である。
【図５（ａ）】取り付けクランプの斜視図である。
【図５（ｂ）】ＬＥＤ照明素子とともに使用される、一実施形態における取り付けブラケットに取り付けられた取り付けクランプを示す斜視図である。
【図５（ｃ）】ＬＥＤ照明素子とともに使用される、一実施形態における取り付けブラケットに取り付けられた取り付けクランプを示す斜視図である。
【図５（ｄ）】ＬＥＤ照明素子とともに使用される、一実施形態における取り付けブラケットに取り付けられた取り付けクランプを示す斜視図である。
【図５（ｅ）】ＬＥＤ照明素子とともに使用される、一実施形態における取り付けブラケットに取り付けられた取り付けクランプを示す斜視図である。
【図６】ＬＥＤ照明素子のハウジング内のＬＥＤ  ＰＣボードを示す斜視図である。
【図７】ＬＥＤ照明素子の第２の部分に取り付けられたサーマルパッドを示す斜視図である。
【図８】ＬＥＤ照明素子の第２の部分に取り付けられたＬＥＤ  ＰＣボードを示す斜視図である。
【図９】エンドキャップを取り外したＬＥＤ照明素子のおよび端部を示す斜視図である。
【図１０Ａ】エンドキャップアセンブリの一実施形態の図である。
【図１０Ｂ】エンドキャップアセンブリの第２の実施形態の図である。
【図１１】エンドキャップアセンブリの第１の要素の斜視図である。
【図１２】エンドキャップアセンブリの第２の要素の斜視図である。
【図１３】ＬＥＤ照明素子のためのハウジングの一実施形態の斜視図である。
【図１４】ＬＥＤ照明素子のためのハウジングの一実施形態の分解図である。
【図１５】ＬＥＤ照明素子のためのハウジングの一実施形態の斜視図である。
【図１６】ＬＥＤ照明素子のためのハウジングの一実施形態の第１の構成要素の底面図である。
【図１７】ＬＥＤ照明素子のためのハウジングの第２の実施形態の斜視図である。
【図１８】ＬＥＤ照明素子のためのハウジングの第２の実施形態の分解図である。
【図１９】ＬＥＤ照明素子のためのハウジングの第２の実施形態の前面図である。
【図２０】ワイヤハーネスによって単一の細長いＬＥＤ照明素子に接合された２つのマイクロコントローラおよびＬＥＤ駆動／制御技術および一体型電源を示す斜視図である。
【図２１】ＰＣボードによって単一の細長いＬＥＤ照明素子に接合された２つのマイクロコントローラおよびＬＥＤ駆動／制御技術および一体型電源を示す斜視図である。
【発明を実施するための形態】
【０００９】
[0038]図１、２、６、８および９は、Ｈ形のハウジング１２を有するＬＥＤ照明素子１０を示す。図５および図９に示すように、押し出しハウジングであってもよいハウジング１２は、第１の部分１４と、クロスバー１８によって第１の部分１４から分離された第２の部分１６とを有する。図２、５および９に示すように、バックプレート２０がクロスバー１８に対向して配置され、かつ第１の部分１４に脱着可能に固定されている。図２および図３に示すように、ヒートシンク２２がハウジング１２内に配置されている一方で、マイクロコントローラおよびＬＥＤ駆動／制御技術および一体型電源２４がヒートシンク２２に接し、かつバックプレート２０に取り付けられている。図２、６および８に示すように、マイクロコントローラおよびＬＥＤ駆動／制御技術および一体型電源２４に電気的に接続されたＬＥＤ  ＰＣボード２６が第２の部分１６に配置され、かつハウジング１２に取り付けられている。
【００１０】
[0039]Ｈ形のハウジングは第１の高さｈ１を有する。第２の実施形態では、ハウジングは、より大きな光学素子のハウジングを許容するため、およびより高いヒートシンク能力を供給するために、ｈ１よりも大きな第２の高さｈ２を有してもよい。
【００１１】
[0040]一実施形態において、ヒートシンク２２は第１のサーマルパッドである。図２および３に示すような、さらに詳細な一実施形態では、第１のサーマルパッドはバックプレート２０の近傍にあり、マイクロコントローラおよびＬＥＤ駆動／制御技術および一体型電源２４がサーマルパッド上を覆う。別の実施形態では、第２のヒートシンク２８が第２の部分１６に配置される。図２に示すように、そのような実施形態のさらなる詳細版では、第２のヒートシンク２８はクロスバー１８とＬＥＤ  ＰＣボード２６との間のＬＥＤ照明素子１０に配置されたサーマルパッドである。
【００１２】
[0041]図５、８および９に示すように、突出部３０はハウジング１２の第１の部分１４の第１の面３４の第１の端部３２の近傍から内側に延びている。バックプレート２０は、第１の部分１４に延び、かつ突出部受容部分３８を含む脚部３６を含む。ハウジング１２から内側に延びる突出部３０は突出部受容部分３８内に嵌まり、それによってバックプレート２０をハウジング１４に解放可能に係合する。図５および図９に示す第２の突出部４０は、また、ハウジング１２から第１の部分１４に内側に延びてもよい。この第２の突出部４０は、バックプレート２０の脚部３６の第１の端部３３が第１の部分１４に進むことができる距離を制限する。図４（ａ）および図４（ｂ）に示すように、スロット３５は光学素子３７を収容するために使用される。
【００１３】
[0042] 図５に示すような一実施形態では、ハウジング１２の第１の部分１４は第１の幅Ｗ１を有し、ハウジング１２の第２の部分１６は第２の幅Ｗ２を有し、第１の幅は第２の幅よりも大きい。図１に示すように、ハウジング１２は、また、第１の長さＬ１を有し、外部表面の溝４２がハウジング１２の長さＬ１に沿って延在してもよい。この溝４２はハウジング１２を、図５（ａ）に示す取り付けクランプ４４に取り付けるために使用される。一実施形態において、溝４２はクロスバー１８とバックプレート２０との間に配置されている。
【００１４】
[0043]図４に示すような一実施形態では、ワッシャ４６がヒートシンク２２とバックプレート２０との間に配置されている。このアルミニウムワッシャ４６はマイクロコントローラおよびＬＥＤ駆動／制御技術および一体型電源ＰＣボード２４からバックプレート２０までの一次電気接合および接地路として機能してもよい。図４（ａ）に示すように、一次電気接地路はハウジング１２とバックプレート２０との間のスナップフィット接合面を通じて設けられる。二次電気接地路が図４（ｂ）に示され、第１の端部においてリング端子を介してハウジング１２の外部にあるねじ、ボルト等４３に、および第２の端部においてハウジング１２の内部にあるマイクロコントローラおよびＬＥＤ駆動／制御技術および一体型電源ＰＣボード２４に連結した接地線を含む。連結ボルト４３ならびにバックプレート取り付けスタッドおよび六角ナット４５は異種金属の接地および接合を可能にするためにカドミウムめっきのハードウェアで作成される。図４（ｂ）に示すように、ハウジング１２から延びる配線束７８は、それぞれがＬＥＤ照明素子１０のための静的接地を設ける２つ以下の静的接地線を含んでもよい。
【００１５】
[0044]さらに別の実施形態では、図１および図２に示すように、ハウジング１２は、少なくとも１つの端部４８と、少なくとも１つの端部４８に取り付けられたエンドキャップ５０とを有する。図１０〜１２に示すような、さらに詳細な一実施形態では、エンドキャップ５０は、第１の端部５６の近傍に第１の取り付け脚５４の対を有する第１の要素５２を含む。第２の取り付け脚５８の対は、ケーブルアクセス部６２と同様、第２の端部６０の近傍にある。エンドキャップ５０の第２の要素６４は、第１の端部６８の近傍にあるケーブルアクセス部６２と、第１の端部６８に垂直であり、かつその近傍にある一対の取り付け脚７０とを有する。第１の要素５２および第２の要素６４は第１の材料で作成され、各要素のケーブルアクセス部６２は第１の材料よりも可撓性のある第２の材料で作成されている。
【００１６】
[0045]一実施形態において、第１の要素５２のケーブルアクセス部６２は第２の要素６４のケーブルアクセス部６２から分離することが可能である。そのような一実施形態では、図２、１１および１２に示すように、連結ピン７２が各取り付け脚７０の端部から延びる。これら連結ピン７２はハウジング１２の側部にある各々の穴７４に嵌合し、それによってエンドキャップ５０の第１の要素５２および第２の要素６４をハウジング１２に連結する。エンドキャップ５０の第１の要素５２は光学素子３７が軸方向運動しないようにする。
【００１７】
[0046]動作時、エンドキャップ５０はＬＥＤ照明素子１０の端部上に取り付けられている。２つの部品のエンドキャップ５０は、照明素子ハウジング１２の側部にある開口部７４に係合する取り付け脚７０によって照明素子１０に固定される。エンドキャップ５０の両要素５２、６４がハウジング１２に固定されると、各要素５２、６４のケーブルアクセス部６２が互いに並んでいる。図１０〜１２に示すような、一実施形態において、わずかなそり７６が各要素のケーブルアクセス部６２の縁端に形成される。そのようなそり７６はケーブルアクセス部６２の中央に互いに並んでいることが好ましい。
【００１８】
[0047]図４Ｂに示すように、ケーブルアクセス部６２の可撓性材料によって、ワイヤまたはケーブル束７８が第１のＬＥＤ照明素子ハウジング１２内のコネクタ８４から延びて、エンドキャップ５０のケーブルアクセス部６２を通過し、第２のＬＥＤ照明素子ハウジング１２または第１のＬＥＤ照明素子ハウジング１２の外側にあるコネクタのいずれかに達することが可能となる。ワイヤまたはケーブル束７８の一端に取り付けられているのはコネクタ８５であり、その一実施形態を図２Ａに示す。このコネクタ８５はハウジング１２内においてコネクタ８４と連結する。ケーブルまたはワイヤ束７８を各エンドキャップ５０のケーブルアクセス部６２から延ばし、第２のＬＥＤ照明素子ハウジング１２と連結させることによって、一連のハウジング１２をつなぎ合わせることができる一方で、互いに電気的に接続する。
【００１９】
[0048]動作時、車両の電気システムおよび主幹制御器などの電力源からワイヤまたはケーブル束７８を通じてマイクロコントローラおよびＬＥＤ駆動／制御技術および一体型電源２４に電力および制御信号が送信される。マイクロコントローラは、その後、パルス幅変調（「ＰＷＭ」）値をマイクロコントローラおよびＬＥＤ駆動／制御技術および一体型電源２４に配置されたＬＥＤドライバチップに送信する。ＬＥＤドライブチップはＰＷＭ値を使用してＬＥＤの強さ／明るさを電子的に制御し、それによって所望の照明シーンにおいてＬＥＤを照光させる。
【００２０】
[0049]図１３〜１６に示すような一実施形態において、照明素子１０はそれ自体がハウジング８６内に収容されており、ハウジング８６はＬＥＤ照明素子１０を受容するのに適した空洞９２を画定する複数の面９０を有する第１の構成要素８８を含む。レンズ９４が第１の構成要素８８に脱着可能に取り付けられ、それによって空洞９２を密閉する。この実施形態の詳細版において、レンズ９４は第１の構成要素８８に嵌まる。さらなる詳細版では、図１４に示すように、空洞９２は溝のような形状である。
【００２１】
[0050]別の実施形態では、図１３に示すように、レンズ９４は、レンズ９４を第１の構成要素８８に固定するため、第１の構成要素８８に取り付けられた第１の端部９８と、レンズ９４に取り付けられた第２の端部１００とを有するランヤード９６の使用により、第１の構成要素８８に固定される。この実施形態のさらなる詳細版では、図１３に示すように、ランヤード９６の第１の端部９８は第１の構成要素８８の複数の面９０の１つの内部表面１０１に取り付けられている。
【００２２】
[0051]さらに別の実施形態では、図１４に示すように、第１の構成要素８８の複数の面９０の１つは穴１０２を画定する。別の実施形態において、図１３および図１５に示すように、複数の面９０の１つは矩形であるとともに、複数の面９０の少なくとも２つは台形であり、２つの台形の面のそれぞれは互いに対向している。この実施形態のさらなる詳細版では、２つの台形の面９０の少なくとも１つは穴１０２を画定する。この実施形態のさらなる詳細版では、第１の構成要素８８は５つの面９０を有する。
【００２３】
[0052]一実施形態では、図１３〜１５に示すように、レンズ９４は楕円の形状である。レンズ９４は、また、滑らかな外部表面を有してもよい。また、配線束７８が穴１０２を通って延びてもよい。
【００２４】
[0053]動作時、ＬＥＤ照明素子１０はねじ、ボルト等の使用によってハウジング８６の第１の構成要素８８内に配置される。ハウジング８６の第１の構成要素８８は、その後、航空機客室の隔壁などの取り付け面に固定される。図１３〜１６に示すように、一実施形態において、ハウジング８６は、第１の構成要素８８にある取り付けフランジ内の穴に挿入されたねじ等の使用によって航空機客室の隔壁に固定してもよい。レンズ９４は、その後、所定の位置に嵌めることを含む任意の適切な手段によって第１の構成要素８８に固定される。
【００２５】
[0054]さらに別の実施形態では、図１７に示すように、照明素子１０はそれ自体が、照明素子取り付け部１０６から約９０°延びる第１の表面１０８と、照明素子取り付け部１０６から第１の表面１０８の逆に約９０°延びる第２の表面１１０とを有する照明素子取り付け部１０６を含むハウジング１０４に取り付けられる。客室用取り付けブラケット１１２は照明素子取り付け部１０６を囲む。一実施形態において、客室用取り付けブラケット１１２は照明素子取り付け部１０６に対して約４５°の角度をなす。
【００２６】
[0055]図１７に示すように、ＬＥＤ照明素子１０は照明素子取り付け部１０６と同一平面に取り付けてもよい。別の実施形態では、図１８に示すように、第１の取り付けクランプ１１４と第２の取り付けクランプ１１６とが照明素子取り付け部１０６に取り付けられ、ＬＥＤ照明素子１０が取り付けクランプ１１４、１１６に取り付けられている。
【００２７】
[0056]別の実施形態では、図１９に示すように、第１の配線束７８（ａ）および第２の配線束７８（ｂ）がハウジング１０４から延びている。この実施形態の詳細版では、第２の配線束７８（ｂ）は主電源（図示せず）に接続され、第１の配線束７８（ａ）は非常電源（図示せず）に接続される。
【００２８】
[0057]動作時、ＬＥＤ照明素子１０はハウジング１０４の照明素子取り付け部１０６に取り付けられている。この実施形態の詳細版において、取り付けクランプは１１４および１１６は取り付け部１０６に取り付けられている。ＬＥＤ照明素子は、その後、各クランプの縁端が照明素子１０のハウジング１２に沿って延びる溝４２に係合するまで取り付けクランプ１１４および１１６に押し込まれる。ハウジング１０４は、その後、客室用取り付けブラケット１１２の取り付けフランジ内にある穴に挿入されたねじ等の使用により車両の隔壁などの取り付け面に固定される。
【００２９】
[0058]また、ＬＥＤ照明素子１０を組み立てるための方法が開示される。方法には、（ａ）Ｈ形のハウジング１２を設けるステップであって、前記ハウジング１２がクロスバー１８によって分離される第１の部分１４と第２の部分１６とを有する、ステップと、（ｂ）ヒートシンク２２をバックプレート２０の第１の面に取り付けるステップと、（ｃ）マイクロコントローラおよびＬＥＤ駆動／制御技術および一体型電源２４をヒートシンク２２上に配置するステップと、（ｄ）バックプレート２０をハウジング１２に固定するステップと、（ｅ）ＬＥＤ  ＰＣボード２６を第２の部分１６に配置するステップと、（ｆ）ＬＥＤ  ＰＣボード２６をマイクロコントローラおよびＬＥＤ駆動／制御技術および一体型電源２４に電気的に接続するステップと、を含む。別の実施形態において、エンドキャップ５０がハウジング１２の第１の端部４８と第２の端部４９とのそれぞれに取り付けられている。
【００３０】
[0059]別の実施形態において、マイクロコントローラおよびＬＥＤ駆動／制御技術および一体型電源２４は、第１の端部８０と、第２の端部８２とを有し、かつ電気コネクタ８４がマイクロコントローラおよびＬＥＤ駆動／制御技術および一体型電源２４に第１の端部８０および第２の端部８２の少なくとも１つの近傍において取り付けられる。実施形態のさらなる詳細版では、図２および図２（ａ）に示すように、配線束７８が電気コネクタ８４に電気的に接続される。配線束７８は、その後、ハウジング１２から外側に延びる。電気コネクタ８４と配線束７８との結合インターフェース８５はワイヤ束の張力を逃がすとともに、様々なコネクタ２００のバリエーションまたはタイプの使用を可能にする機能を提供する。
【００３１】
[0060]別の実施形態では、図２０に示すように、ワイヤハーネス１１８は、電気コネクタ８４に連結された第１の端部１２０として、第２のマイクロコントローラおよびＬＥＤ駆動／制御技術および一体型電源２４上の第２の電気コネクタ８４に連結された第２の端部１２２とを有する。
【００３２】
[0061]方法のさらに別の実施形態では、Ｈ形のハウジング１２は第１の面と第２の面とを有し、かつ第１の面と第２の面とのそれぞれに沿って溝４２が刻まれている。取り付けクランプ４４が、その後、第１の面と第２の面とのそれぞれに沿って溝４２に嵌合される。図５Ｂ〜Ｄに示すように、取り付けクランプ４４は種々のタイプのブラケット幾何学的形状に取り付けることができる。ハウジングが取り付けクランプ４４から軸方向に滑り出ないようにエンドキャップ脚５８および７０が停止部として機能する。
【００３３】
[0062]別の実施形態において、ハウジング１２は第１の長さＬ１よりも長い第２の長さＬ２を有する。このより長いハウジング長さＬ２は、図２１に示すように、相互連結したＰＣボード１１７、または図２０に示すように、相互連結したワイヤハーネス１１８によって互いに連結したいくつかのマイクロコントローラおよびＬＥＤ駆動／制御技術および一体型電源２４の利用に適応させることができる。
【００３４】
[0063]本明細書中で引用する刊行物、特許出願および特許を含むすべての文献を、各文献を個々に具体的に示し、参照して組み込むのと、また、その内容のすべてをここで述べるのと同じ程度、ここで参照して組み込む。
【００３５】
[0064]本発明の説明に関連する（特に、特許請求の範囲に関連する）用語「ａ」および「ａｎ」および「ｔｈｅ」ならびに同様な指示語の使用は、本明細書中で特に指摘したり、明らかに文脈と矛盾したりしない限り、単数および複数の両方に及ぶものと解釈される。本明細書中の数値範囲の具陳は、本明細書中で特に指摘しない限り、単にその範囲内に該当する各値を個々に言及するための略記法としての役割を果たすことだけを意図しており、各値は、本明細書中で個々に列挙されるかのように、明細書に組み込まれる。本明細書中で説明されるすべての方法は、本明細書中で特に指摘したり、明らかに文脈と矛盾したりしない限り、あらゆる適切な順番で行うことができる。本明細書中で使用するあらゆる例または例示的な言い回し（例えば「など」）は、特に主張しない限り、単に本発明をよりよく説明することだけを意図し、本発明の範囲に対する制限を設けるものではない。明細書中の如何なる言い回しも、本発明の実施に不可欠である、請求項に記載されていない要素を示すものとは解釈されないものとする。
【００３６】
[0065]発明者が知る本発明を実施するための最良の態様を含む本発明の好適な実施形態が本明細書中に記載されている。示した実施形態は例示のみのためであると理解すべきであり、本発明の範囲を限定するものと解釈すべきではない。
【図１】
2013521594.tif 000003
【図２】
2013521594.tif 000004
【図２Ａ】
2013521594.tif 000005
【図３】
2013521594.tif 000006
【図４】
2013521594.tif 000007
【図４Ａ】
2013521594.tif 000008
【図４Ｂ】
2013521594.tif 000009
【図５】
2013521594.tif 000010
【図５Ａ】
2013521594.tif 000011
【図５Ｂ】
2013521594.tif 000012
【図５Ｃ】
2013521594.tif 000013
【図５Ｄ】
2013521594.tif 000014
【図５Ｅ】
2013521594.tif 000015
【図６】
2013521594.tif 000016
【図７】
2013521594.tif 000017
【図８】
2013521594.tif 000018
【図９】
2013521594.tif 000019
【図１０Ａ】
2013521594.tif 000020
【図１０Ｂ】
2013521594.tif 000021
【図１１】
2013521594.tif 000022
【図１２】
2013521594.tif 000023
【図１３】
2013521594.tif 000024
【図１４】
2013521594.tif 000025
【図１５】
2013521594.tif 000026
【図１６】
2013521594.tif 000027
【図１７】
2013521594.tif 000028
【図１８】
2013521594.tif 000029
【図１９】
2013521594.tif 000030
【図２０】
2013521594.tif 000031
【図２１】
2013521594.tif 000032
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
Ｈ形のハウジングであって、第１の部分と、クロスバーによって前記第１の部分から分離された第２の部分とを有する、Ｈ形のハウジングと、
前記クロスバーに対向するバックプレートであって、前記第１の部分に脱着可能に固定されている、バックプレートと、
前記ハウジング内に配置されたヒートシンクと、
前記ヒートシンクに接しているマイクロコントローラおよびＬＥＤ駆動／制御技術および一体型電源と、
前記第２の部分に配置され、かつ前記ハウジングに取り付けられたＬＥＤ  ＰＣボードであって、前記マイクロコントローラおよびＬＥＤ駆動／制御技術および一体型電源に電気的に接続されている、ＬＥＤ  ＰＣボードと、
を含む、ＬＥＤ照明素子。
【請求項２】
前記ヒートシンクが前記バックプレートに隣接する第１のサーマルパッドである、請求項１に記載のＬＥＤ照明素子。
【請求項３】
前記第２の部分に配置された第２のヒートシンクをさらに含み、前記第２のヒートシンクが前記クロスバーと前記ＬＥＤ  ＰＣボードとの間に配置された第２のサーマルパッドである、請求項１または２に記載のＬＥＤ照明素子。
【請求項４】
突出部が前記第１の部分の第１の面の第１の端部の近傍において前記ハウジングから内側に延び、
前記バックプレートが脚部を含み、前記脚部が、前記第１の部分に延び、かつ突出部受容部分を画定し、
前記突出部が前記突出部受容部分に嵌まり、それによって前記バックプレートを前記ハウジングに係合し、
第２の突出部が前記ハウジングから前記第１の部分に内側に延び、
前記第２の突出部が、前記バックプレートの前記脚部の第１の端部が前記第１の部分に進むことができる距離を制限する、
請求項１〜３のいずれか一項に記載のＬＥＤ照明素子。
【請求項５】
前記ハウジングが第１の長さを有し、
前記ハウジングが前記ハウジングの前記長さに沿って延びる第１の溝を画定する外部表面を有し、前記第１の溝が前記クロスバーと前記バックプレートとの間に配置されている、
請求項１〜４のいずれか一項に記載のＬＥＤ照明素子。
【請求項６】
前記ハウジングが少なくとも１つの端部を有し、
エンドキャップが前記ハウジングの前記少なくとも１つの端部に取り付けられており、
前記エンドキャップが、
第１の端部の近傍にある第１の取り付け脚の対と、
前記第２の端部の近傍にある第２の取り付け脚の対と、
前記第２の端部の近傍にあるケーブルアクセス部と、
を有する、第１の要素と、
第１の端部の近傍にあるケーブルアクセス部と、
前記第１の端部に垂直であり、かつ前記第１の端部の近傍にある一対の取り付け脚と、
を有する、第２の要素と、を含み、
前記第１の要素および前記第２の要素が第１の材料で作成され、各要素の前記ケーブルアクセス部が前記第１の材料よりも可撓性のある第２の材料で作成される、
請求項１〜５のいずれか一項に記載のＬＥＤ照明素子。
【請求項７】
連結ピンが前記取り付け脚のそれぞれの端部から延び、
前記連結ピンが前記ハウジングの前記側部にある各々の穴に嵌合し、それによって前記エンドキャップの前記第１の要素および前記第２の要素を前記ハウジングに連結する、
請求項６に記載のＬＥＤ照明素子。
【請求項８】
前記照明素子がハウジング内に収容され、前記ハウジングが、
前記ＬＥＤ照明素子を受容するのに適した空洞を画定する複数の面を有する第１の構成要素と、
前記第１の構成要素に脱着可能に取り付けられ、それによって前記空洞を密閉するレンズと、
を含む、請求項１〜７のいずれか一項に記載のＬＥＤ照明素子。
【請求項９】
ランヤードが前記第１の構成要素に取り付けられた第１の端部を有し、
前記ランヤードの第２の端部が前記レンズを前記第１の構成要素に固定するために前記レンズに取り付けられる、
請求項８に記載のＬＥＤ照明素子。
【請求項１０】
前記空洞が溝であり、前記ランヤードの前記第１の端部が前記第１の構成要素の前記複数の面の１つの内部表面に取り付けられている、請求項８または９に記載のＬＥＤ照明素子。
【請求項１１】
前記複数の面の１つが矩形であり、
前記複数の面の少なくとも２つが台形であり、前記２つの台形の面のそれぞれが互いに対向している、
請求項８〜１０のいずれか一項に記載のＬＥＤ照明素子。
【請求項１２】
前記配線束が前記空洞中に延びる、請求項１１に記載のＬＥＤ照明素子。
【請求項１３】
前記照明素子がハウジングに取り付けられ、前記ハウジングが、
照明素子取り付け部であって、前記照明素子取り付け部から約９０°延びる第１の表面と、前記照明素子取り付け部から前記第１の表面の逆側に約９０°延びる第２の表面と、を有する、照明素子取り付け部と、
前記照明素子取り付け部を囲む客室用取り付けブラケットであって、前記照明素子取り付け部に対して約４５°の角度をなす、客室用取り付けブラケットと、
を含む、請求項１〜１２のいずれか一項に記載のＬＥＤ照明素子。
【請求項１４】
前記照明素子取り付けブラケットの第１の表面と同一平面に取り付けられる、請求項１３に記載のＬＥＤ照明素子。
【請求項１５】
第１の取り付けクランプおよび第２の取り付けクランプが前記照明素子取り付けブラケットの前記第１の表面に取り付けられ、
前記ＬＥＤ照明素子が前記取り付けクランプに取り付けられた、
請求項１４に記載のＬＥＤ照明素子。
【国際調査報告】
2013521594.tif 000033